(57)【特許請求の範囲】
【請求項１】
直交周波数分割多重通信装置であって、
シンボル番号と、該シンボル番号に対応するシンボルの各サブキャリアの座標変換量を示すマッピングテーブルと、
送信するシンボルのシンボル番号を管理する手段と、
シンボルの各サブキャリアで搬送するするデータ値に対応する座標を、該シンボルのシンボル番号に対応する各サブキャリアの座標変換量に基づきそれぞれ変換し、変換後の各座標に基づくサブキャリアを含むシンボルを送信する手段と、
を備えている通信装置。
【請求項２】
直交周波数分割多重通信装置であって、
シンボル番号と、該シンボル番号に対応するシンボルの各サブキャリアの座標変換量を示すマッピングテーブルと、
受信するシンボルの各サブキャリアが周期的に搬送している既知のデータ値と、マッピングテーブルに基づき、既知のデータ値に対応する座標に施された座標変換量を求めることで、受信する各シンボルのシンボル番号を判定する手段と、
受信するシンボルの各サブキャリアに基づく複素平面上の座標を、該シンボルのシンボル番号に対応する各サブキャリアの座標変換量に基づきそれぞれ変換し、変換後の各座標に対応するデータ値を求める手段と、
を備えている通信装置。
【請求項３】
シンボル番号と、該シンボル番号に対応するシンボルの各サブキャリアの座標変換量を示すマッピングテーブルとを保持し、周期的に既知のデータ値を各サブキャリアで搬送する通信装置による直交周波数分割多重通信方法であって、
送信側通信装置と、受信側通信装置が保持するマッピングテーブルは同一であり、
送信側通信装置が、シンボルの各サブキャリアで搬送するデータ値に対応する座標を、該シンボルのシンボル番号に対応する各サブキャリアの座標変換量に基づきそれぞれ変換し、変換後の各座標に基づくサブキャリアを含むシンボルを送信するステップと、
受信側通信装置が、受信するシンボルの各サブキャリアが周期的に搬送している既知のデータ値と、マッピングテーブルに基づき、既知のデータ値に対応する座標に施された座標変換量を求めることで、受信する各シンボルのシンボル番号を判定するステップと、
受信側通信装置が、受信するシンボルの各サブキャリアに基づく複素平面上の座標を、該シンボルのシンボル番号に対応する各サブキャリアの座標変換量に基づきそれぞれ変換し、変換後の各座標に対応するデータ値を求めるステップと、
を備えている通信方法。
【発明の詳細な説明】
【技術分野】
【０００１】
本発明は、直交周波数分割多重（ＯＦＤＭ）技術を用いた通信システムにおいて、第三者がその通信内容を取得することを防ぐ技術に関する。
【背景技術】
【０００２】
ＯＦＤＭ技術は、送信データを複数のサブキャリアを用いて並列に伝送する方式であり、各サブキャリアのシンボルレートが比較的低くなるためシンボル間干渉に強く、デジタル地上波放送や、無線ＬＡＮ（Ｌｏｃａｌ  Ａｅｒａ  Ｎｅｔｗｏｒｋ）システムで既に使用されており、光通信システムへの適用についても検討されている（例えば、非特許文献１及び２、参照。）。
【０００３】
図４は、ＯＦＤＭ通信システムの概略的な構成図である。図４によると、送信側通信装置は、シリアルパラレル（Ｓ／Ｐ）変換部１１と、マッピング部１２と、ファーストフーリエ逆変換（ＩＦＦＴ）部１３と、送信部１４とを備えており、受信側通信装置は、受信部２１と、ファーストフーリエ変換（ＦＦＴ）部２２と、デマッピング部２３と、パラレルシリアル（Ｐ／Ｓ）変換部２４とを備えている。
【０００４】
Ｓ／Ｐ変換部１１は、送信データを、使用するサブキャリア数のデータ列にパラレル変換し、マッピング部１２は、各サブキャリの変調方式に基づき、各入力データに対応する複素平面上の座標、つまり、複素値を求め、ＩＦＦＴ部１３は、各サブキャリアに対応する入力ポートに入力された複素値を離散フーリエ逆変換して時間領域の信号に変換し、送信部１４は、伝送媒体に応じた処理、例えば、空間を伝送媒体として無線信号により送信する場合には周波数変換処理及び増幅処理等を行い、伝送媒体に信号を送信する。なお、マッピング部１２には、周期的に、送信データではなく、既知のデータ値を入力する。つまり、送信側通信装置が送信する信号は、図５に示すように既知のデータ値に対応する同期シンボルが周期的に表れたものとなる。
【０００５】
受信部２１は、伝送媒体から入力される信号の受信処理、例えば周波数変換等の処理を行い、ＦＦＴ部２２は、時間領域信号を離散フーリエ変換して、各サブキャリアの複素値を求め、デマッピング部２３は、各サブキャリアの複素値、即ち、複素平面上での座標から、そのサブキャリアが搬送していたデータ値を判定し、Ｐ／Ｓ変換部２４は、各サブキャリアからのデータをシリアル変換して出力する。なお、デマッピング部２３は、送信側にて周期的に送信された既知のデータ値を探索し、フレーム同期を確立する。
【０００６】
【非特許文献１】Ａｒｔｈｕｒ  Ｊａｍｅｓ  Ｌｏｗｅｒｙ、ｅｔ  ａｌ．、“Ｏｒｔｈｏｇｏｎａｌ−ｆｒｅｑｕｅｎｃｙ−ｄｉｖｉｓｉｏｎ  ｍｕｌｔｉｐｌｅｘｉｎｇ  ｆｏｒ  ｄｉｓｐｅｒｓｉｏｎ  ｃｏｍｐｅｎｓａｔｉｏｎ  ｏｆ  ｌｏｎｇ−ｈａｕｌ  ｏｐｔｉｃａｌ  ｓｙｓｔｅｍｓ”、２００６  Ｏｐｔｉｃａｌ  Ｓｏｃｉｅｔｙ  ｏｆ  Ａｍｅｒｉｃａ、ＯＰＴＩＣＳ  ＥＸＰＲＥＳＳ  ２０７９、Ｖｏｌ．１４  Ｎｏ．６、２００６年３月
【非特許文献２】Ｉｖａｎ  Ｂ．  Ｄｊｏｒｄｊｅｖｉｃ、ｅｔ  ａｌ．、“Ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｆｏｒ  ｈｉｇｈ−ｓｐｅｅｄ  ｏｐｔｉｃａｌ  ｔｒａｎｓｍｉｓｓｉｏｎｓ”、２００６  Ｏｐｔｉｃａｌ  Ｓｏｃｉｅｔｙ  ｏｆ  Ａｍｅｒｉｃａ、ＯＰＴＩＣＳ  ＥＸＰＲＥＳＳ  ３７６７、Ｖｏｌ．１４  Ｎｏ．９、２００６年５月
【発明の開示】
【発明が解決しようとする課題】
【０００７】
通信システムには、安全性、つまり、通信に無関係な第三者が通信内容を取得できない様にすることが要求される。
【０００８】
したがって、本発明は、通信に無関係な第三者が通信内容を取得することを難しくする、ＯＦＤＭ通信装置及び方法を提供することを目的とする。
【課題を解決するための手段】
【０００９】
本発明における通信装置によれば、
直交周波数分割多重通信装置であって、シンボル番号と、該シンボル番号に対応するシンボルの各サブキャリアの座標変換量を示すマッピングテーブルと、送信するシンボルのシンボル番号を管理する手段と、シンボルの各サブキャリアで搬送するするデータ値に対応する座標を、該シンボルのシンボル番号に対応する各サブキャリアの座標変換量に基づきそれぞれ変換し、変換後の各座標に基づくサブキャリアを含むシンボルを送信する手段とを備えている。
【００１０】
本発明における通信装置によれば、
直交周波数分割多重通信装置であって、シンボル番号と、該シンボル番号に対応するシンボルの各サブキャリアの座標変換量を示すマッピングテーブルと、受信するシンボルの各サブキャリアが周期的に搬送している既知のデータ値と、マッピングテーブルに基づき、既知のデータ値に対応する座標に施された座標変換量を求めることで、受信する各シンボルのシンボル番号を判定する手段と、受信するシンボルの各サブキャリアに基づく複素平面上の座標を、該シンボルのシンボル番号に対応する各サブキャリアの座標変換量に基づきそれぞれ変換し、変換後の各座標に対応するデータ値を求める手段とを備えている。
【００１１】
本発明における通信方法によれば、
シンボル番号と、該シンボル番号に対応するシンボルの各サブキャリアの座標変換量を示すマッピングテーブルとを保持し、周期的に既知のデータ値を各サブキャリアで搬送する通信装置による直交周波数分割多重通信方法であって、送信側通信装置と、受信側通信装置が保持するマッピングテーブルは同一であり、送信側通信装置が、シンボルの各サブキャリアで搬送するデータ値に対応する座標を、該シンボルのシンボル番号に対応する各サブキャリアの座標変換量に基づきそれぞれ変換し、変換後の各座標に基づくサブキャリアを含むシンボルを送信するステップと、受信側通信装置が、受信するシンボルの各サブキャリアが周期的に搬送している既知のデータ値と、マッピングテーブルに基づき、既知のデータ値に対応する座標に施された座標変換量を求めることで、受信する各シンボルのシンボル番号を判定するステップと、受信側通信装置が、受信するシンボルの各サブキャリアに基づく複素平面上の座標を、該シンボルのシンボル番号に対応する各サブキャリアの座標変換量に基づきそれぞれ変換し、変換後の各座標に対応するデータ値を求めるステップとを備えている。
【発明の効果】
【００１２】
マッピングテーブルは、各シンボルについて、各サブキャリアの座標変換量を示すものであり、送信側通信装置において、マッピングテーブルに基づき座標変換し、受信側通信装置において、マッピングテーブルに基づき送信側とは逆変換を行い復調する。このマッピングテーブルを持たない第三者が、既知の同期シンボルのみに基づき、マッピングテーブルを生成して正しい復調処理を行うことは難しく、簡易な方法で秘匿性の高い通信を実現することができる。
【発明を実施するための最良の形態】
【００１３】
本発明を実施するための最良の実施形態について、以下では図面を用いて詳細に説明する。
【００１４】
図１は、本発明による通信装置の送信側の構成図である。図１によると、通信装置は、シリアルパラレル（Ｓ／Ｐ）変換部１１と、マッピング部１２と、ファーストフーリエ逆変換（ＩＦＦＴ）部１３と、送信部１４と、マッピングテーブル１５とを備えている。
【００１５】
Ｓ／Ｐ変換部１１は、送信データを、使用するサブキャリア数のデータ列にパラレル変換し、マッピング部１２は、各サブキャリの変調方式に基づき、各サブキャリアで搬送するデータ値に対応する複素平面上の座標、つまり、複素値を求める。ＩＦＦＴ部１３は、各サブキャリアに対応する入力ポートに入力された複素値を離散フーリエ逆変換して時間領域の信号に変換し、送信部１４は、伝送媒体に応じた処理、例えば、空間を伝送媒体として無線信号により送信する場合には周波数変換処理及び増幅処理等を行い、伝送媒体に信号を送信する。なお、マッピング部１２には、周期的に、送信データではなく、送信側及び受信側通信装置で既知のデータ値を入力する。つまり、送信側通信装置が送信するシンボルは、図５に示す様に、既知のデータ値に対応する同期シンボルが周期的に表れたものとなる。
【００１６】
本発明において、マッピング部１２は、入力データ値に対応する複素平面上の座標を、マッピングテーブル１５が示す位相だけ回転させた上で、回転後の座標を、ＩＦＦＴ部１３に出力する。図３は、マッピングテーブル１５を示す図である。図３によると、マッピングテーブルはシンボル番号（１からＭ）と、各シンボル番号に対応するシンボルの各サブキャリア（１からＮ）に対する座標変換量を示している。図３の例において、第１番目のシンボルの、第１番目及び第２番目のサブキャリアについては、それぞれ、３０度及び４５度だけ位相を回転させることを、第Ｍ番目のシンボルの、第１番目及び第２番目のサブキャリアについては、それぞれ、５０度及び０度だけ位相を回転させることを示している。このため、マッピング部１２は、送信シンボルに、１からＭのシンボル番号を巡回的に付与し、現在処理しているシンボルがいずれのシンボル番号であるかを管理している。
【００１７】
図２は、本発明による通信装置の受信側の構成図である。図２によると、通信装置は、受信部２１と、ファーストフーリエ変換（ＦＦＴ）部２２と、デマッピング部２３と、パラレルシリアル（Ｐ／Ｓ）変換部２４と、マッピング同期部２５と、マッピングテーブル２６とを備えている。
【００１８】
受信部２１は、伝送媒体から入力される信号の受信処理、例えば周波数変換等の処理を行い、ＦＦＴ部２２は、時間領域信号を離散フーリエ変換して、各サブキャリアの複素値、つまり、複素平面上での座標を求め、デマッピング部２３は、各サブキャリアの複素平面上での座標からそのサブキャリアのデータを判定し、Ｐ／Ｓ変換部２４は、各サブキャリアのデータをシリアル変換して出力する。
【００１９】
しかしながら、本発明においてＦＦＴ部２２が出力する座標は、送信側においてマッピングテーブル１５に基づき回転させられたものであるため、回転量についての情報なしにデマッピング部２３は、データ値の判定を行うことはできない。このため、受信側においても送信側と同じマッピングテーブル２６を保持する。しかしながら、受信側通信装置は、現在のシンボルに施された位相回転量が、マッピングテーブル２６のどのシンボル番号に対応しているかの情報がなければ、送信側と同じマッピングテーブル２６を保持していても正しく復調することはできない。
【００２０】
このため、マッピング同期部２５は、同期シンボル、つまり、各サブキャリアが周期的に搬送している既知のデータ値と、マッピングテーブル２６に基づき、既知のデータ値に対応する座標に施された座標変換量を求め、これにより、受信する各シンボルのシンボル番号を判定する処理を行う。なお、本処理を、以後、マッピングテーブル同期処理と呼び、対応関係を認識している状態をマッピングテーブル同期が取れている状態と呼ぶ。なお、以下の説明において、同期シンボルは、Ｍ＋３シンボルに１回挿入されるものとする。
【００２１】
まず、マッピング同期部２５は、マッピングテーブル２６の第１番目から第Ｍ番目のいずれかの回転量を用いることで、現在受信しているシンボルの各サブキャリアに基づく座標が、既知のデータ値に対応する座標に変換されるか否かを判定する。既知のデータ値に対応する座標とならなければ、既知のデータ値に対応する座標となるサブキャリアを含むシンボルが受信されるまで同じ処理を行う。
【００２２】
現在受信しているシンボルの各サブキャリアに基づく座標が、マッピングテーブル２６の第ｐ番目（１≦ｐ≦Ｍ）のシンボル番号の各サブキャリアの回転量により、既知のデータ値に対応する座標に変換された場合、次の同期シンボル、つまり、Ｍ＋３シンボル後に受信するシンボルの、各サブキャリアに対応する座標が、マッピングテーブル２６の第ｑ番目のシンボル番号の回転量により、既知のデータ値に対応する座標に変換されるか否かを判定する。ここで、
ｑ＝ｐ＋Ｍ＋３  ｍｏｄ  Ｍ、ただし、ｑ＝０の場合はｑ＝１０
である。もし、既知のデータ値に対応する座標にならなければ、最初から同じ処理を繰り返す。既知のデータ値に対応する座標になれば、更に、数回、Ｍ＋３シンボル後のシンボルが、マッピングテーブル２６の対応するシンボル番号の回転量で変換することにより、既知のデータ値に対応する座標になるか否かを判定し、既知のデータ値に対応する座標になればマッピングテーブル同期が取れたものと判定する。
【００２３】
マッピングテーブル同期状態において、デマッピング部２３は、受信したシンボルの各サブキャリアに基づく複素平面上の座標を、マッピングテーブル２６の、現在受信しているシンボル番号の各サブキャリアの座標変換量に基づき変換し、変換後の座標に対応するデータ値を求める。もちろん、マッピングテーブル同期が取れた後も、同期シンボル位置でマッピング同期の確認を行う。
【００２４】
以上、ＯＦＤＭ変調は、複数のサブキャリアを並列伝送するものであり、回転量を時間方向と周波数方向の両方において、できるだけランダムに設定することにより、マッピングテーブル１５及び２６を持たない第三者が、既知の同期シンボルのみに基づき正しい復調処理を行うことは難しくなり、簡易な方法で秘匿性の高い通信を実現することができる。なお、位相のみを変換させる形態にて説明を行ったが、位相及び振幅の両方をある計算式に従い変換する形態であっても良い。このとき、振幅については剰余演算により最大振幅を制限する。
【図面の簡単な説明】
【００２５】
【図１】本発明による通信装置の送信側の構成図である。
【図２】本発明による通信装置の受信側の構成図である。
【図３】マッピングテーブルを示す図である。
【図４】ＯＦＤＭ通信システムの概略的な構成図である。
【図５】フレーム構成を示す図である。
【符号の説明】
【００２６】
１１  シリアルパラレル変換部
１２  マッピング部
１３  ＩＦＦＴ部
１４  送信部
１５、２６  マッピングテーブル
２１  受信部
２２  ＦＦＴ部
２３  デマッピング部
２４  パラレルシリアル変換部
２５  マッピング同期部
【図１】
0004935701.tif 000002
【図２】
0004935701.tif 000003
【図３】
0004935701.tif 000004
【図４】
0004935701.tif 000005
【図５】
0004935701.tif 000006